(57)【要約】【課題】線香がこぼれにくく、中央にかたまることなく、できるだけ全体的に散らばって供えられる構造を有する線香受皿を提供することを目的とする。【解決手段】火の付いた線香１５は、寝かせられ横向きになって、線香受皿１の上方から供給され、誘導傾斜板１７にそって、網部１３の中央へ誘導される。このため線香１５が線香受皿１からこぼれにくい。さらに線香１５は、平らな網部１３にそって、前後に拡がる。そして、前へ拡がったものは、誘導傾斜板１７の下端と網部１３との間に形成され隙間を通り、誘導傾斜板１７に干渉されることなく移動できる。このようにして線香１５は、全体的に散らばって供えられる。さらに、前へ拡がった線香１５は、誘導傾斜板１７の立上がり部２１に遮られ、線香受皿１の手前にこぼれることが、完全に防止される。【選択図】図１
2013192762.tif 000002
【特許請求の範囲】
【請求項１】
受皿本体と、この受皿本体の底部に設けられ、火の付いた線香が載置される受ける網部と、この受皿本体の正面上部に設けられ、上方から供給される火の付いた線香を誘導し前記網部の中央へ誘導するため、前記網部の正面から中央へ向かって下降傾斜する誘導傾斜板と、この誘導傾斜板の下端と前記網部との間に形成され前記線香が移動できる隙間と、を有することを特徴とする線香受皿。
【請求項２】
前記誘導傾斜板は、前記受皿本体と一体的に設けられ、前記受皿本体の正面の縁部から立ち上がる立上がり部と、立上がり部に連続し網部の中央へ向かって下降傾斜する傾斜部と、を有してなることを特徴とする請求項１に記載の線香受皿。
【請求項３】
前記誘導傾斜板は、前記受皿本体と別体に設けられ、前記受皿本体の正面に取付けられこの正面の縁部から立ち上がる立上がり部と、立上がり部に連続し網部の中央へ向かって下降傾斜する傾斜部と、を有してなることを特徴とする請求項１に記載の線香受皿。
【発明の詳細な説明】
【技術分野】
【０００１】
この発明は、墓石などに設けられる線香受皿の構造に関する。
【背景技術】
【０００２】
お墓参りで火の付いた線香を墓石に供えるために、墓石には、線香受皿が設けられる。この線香受皿には、火の付いた線香を寝かせ横置きにして供えても、火が消えないように、底部に網部が設けられる。
お墓参りをする人数が多い場合などに、線香受皿から、多量に供えられた線香の一部が、こぼれてしまうことがある。また、線香受皿が、墓石の壁面に形成された穴に設けられている場合など、その穴の位置まで身をかがめ、手元を下げ、うまく線香受皿の真上から線香を供給しないと、線香受皿から線香がこぼれてしまうことがある。こぼれると火事などの危険がある。
【０００３】
また、線香がこぼれてしまうのは、線香受皿の手前にこぼれることが多い。
特許文献１では、線香受皿から線香がこぼれにくいように、線香受皿の前後方向の中央部が深くなるように、底部を前後方向に湾曲した線香受皿が開示されている。
【先行技術文献】
【特許文献】
【０００４】
【特許文献１】特開2005-177312
【発明の概要】
【発明が解決しようとする課題】
【０００５】
しかしながら、火の付いた線香が消えずに見栄え良く供えられるためには、特許文献１のように線香受皿の中央に線香がかたまることなく、できるだけ全体的に散らばって供えられることが望ましい。
この発明は、以上の問題点を解決するために、線香が線香受皿からこぼれにくく、線香受皿の中央に線香がかたまることなく、できるだけ全体的に散らばって供えられる構造を有する線香受皿を提供することを目的とする。
【課題を解決するための手段】
【０００６】
以上の課題を解決するために、第一発明は、受皿本体と、この受皿本体の底部に設けられ、火の付いた線香が載置される受ける網部と、この受皿本体の正面上部に設けられ、上方から供給される火の付いた線香を誘導し前記網部の中央へ誘導するため、前記網部の正面から中央へ向かって下降傾斜する誘導傾斜板と、この誘導傾斜板の下端と前記網部との間に形成され前記線香が移動できる隙間と、を有することを特徴とする線香受皿である。
第二発明は、さらに、前記誘導傾斜板は、前記受皿本体と一体的に設けられ、前記受皿本体の正面の縁部から立ち上がる立上がり部と、立上がり部に連続し網部の中央へ向かって下降傾斜する傾斜部と、を有してなることを特徴とする線香受皿である。
【０００７】
第三発明は、さらに、前記誘導傾斜板は、前記受皿本体と別体に設けられ、前記受皿本体の正面に取付けられこの正面の縁部から立ち上がる立上がり部と、立上がり部に連続し網部の中央へ向かって下降傾斜する傾斜部と、を有してなることを特徴とする線香受皿である。
【発明の効果】
【０００８】
第一、第二、又は第三発明によれば、火の付いた線香は、寝かせられ横向きになって、上方から供給され、誘導傾斜板にそって、網部の中央へ誘導される。このため線香が線香受皿からこぼれにくい。さらに線香は、平らな網部にそって、前後に拡がる。そして、前へ拡がったものは、誘導傾斜板の下端と網部との間に形成され隙間を通り、誘導傾斜板に干渉されることなく移動できる。このようにして線香は、全体的に散らばって供えられる。  第二、又は第三発明によれば、さらに、前へ拡がった線香は、誘導傾斜板の立上がり部に遮られ、線香受皿の手前にこぼれることが、完全に防止される。
【図面の簡単な説明】
【０００９】
【図１】この発明の一実施形態に係る線香受皿を示す全体斜視図で（Ａ）は使用状態図、（Ｂ）は網部を省略した斜視図である。
【図２】図１の各図を示すもので、（Ａ）は平面図、（Ｂ）は正面図、（Ｃ）縦断面図である。
【図３】他の実施形態に係る線香受皿の全体斜視図を示すもので、（Ａ）は分解図、（Ｂ）は組み立て図である。
【図４】図３（Ａ）の誘導傾斜板を示す平面図、（Ｂ）は（Ａ）の正面、（Ｃ）は（Ｂ）の側面図である。
【図５】さらに他の実施形態に係る線香受皿の全体斜視図である。
【発明を実施するための形態】
【００１０】
この発明の実施形態に係る線香受皿１を、図１および図２に示す。
線香受皿１の背面左から見た全体斜視図を、図１に示す。
受皿本体３は、蓋のない、直方体の箱状をなし、底面５には左右に脚７を有する。四方は、側壁９を有する。この受皿本体３の底部１１には、箱状の底面５から所定の高さに、網部１３が設けられる。この網部１３は、金属製の網であり、火の付いた線香１５が、寝かせられ横向きにし、左右に長くして、載置される。
【００１１】
この受皿本体３の正面上部に、誘導傾斜板１７が設けられる。この誘導傾斜板１７は、上方から供給される火の付いた線香１５を、網部１３の中央へ誘導するためのものであり、この誘導のために、網部１３の正面上方から中央下方へ向かって下降傾斜する。この誘導傾斜板１７の下降した下端１８の高さは、側壁９の上縁の高さと同じである。このため、誘導傾斜板１７の下端１８と、網部１３との間には、上下方向の間隙１９が形成される。この間隙１９の大きさは、側壁９の高さと同じで、線香１５が十分に移動できる。
【００１２】
この誘導傾斜板１７は、受皿本体３と一体的に設けられる。つまり、受皿本体３の正面の中央部において、側壁９の上縁２０から、一体的に、左右幅の狭い立上がり部２１が、上方へ垂直に立ち上がる。この立上がり部２１に連続し、傾斜部２３が下降して形成される。すなわち、網部１３の中央へ向かって、下向きに略４５度の傾斜角θで、広い傾斜部２３が形成される。この傾斜部２３の幅の広さは、受皿本体３の左右の広さに、ほぼ対応する。この誘導傾斜板１７の受皿本体３との一体的な形成は、別部品を、溶接や溶着によるものであっても良い。
【００１３】
「実施形態の効果」
一端に火の付いた多数本の線香１５は、中央が手で持たれ、寝かせられ、左右に横向きにされ、線香受皿１の正面上方から、置くようにして供給される。これらの供給された線香１５は、誘導傾斜板１７にそって、網部１３の中央へ誘導される（図１（Ａ））。このため線香１５が線香受皿１からこぼれにくい。特に、手前側へはこぼれにくい。
【００１４】
さらに線香１５は、平らな網部１３にそって、前後に拡がる（図２（Ｃ））。そして、前へ拡がったものは、誘導傾斜板１７の下端と網部１３との間に形成され隙間１９を、楽に通り、誘導傾斜板１７に干渉されることなく、前へ移動できる。後へ拡がったものは、そのまま後へ移動する。このようにして線香１５は、全体的に散らばって供えられる。
さらに、前へ拡がった線香１５は、誘導傾斜板１７の立上がり部２１に遮られ、線香受皿１の手前にこぼれることが、完全に防止される。
【００１５】
「他の実施形態」
以上の実施形態では、誘導傾斜板１７は受皿本体３と一体的に設けられるものであったが、他の実施形態では、誘導傾斜板１７は、受皿本体３と別体に設けられてもよい。すなわち、図３、図４に示すように、受皿本体３の正面において、側壁９の内側と網部１３との間へ、誘導傾斜板１７の立上がり部２１が挿入されることで、取付けられる。このようにして、受皿本体３の正面の縁部から立ち上がる立上がり部２１に連続し、傾斜部２３が、網部１３の中央へ向かって下降傾斜する。
また、挿入ではなく、一方を他方に係止したり、挟んだりする構成であっても良い。
【００１６】
以上の実施形態では、誘導傾斜板１７は、受皿本体３と一体的であっても（図１、図２）、別体であっても（図３、図４）、受皿本体３の正面の縁部から立ち上がるものであったが、他の実施形態では、他の形状を有するものでもよい。すなわち、図５に示すように、誘導傾斜板１７の広がった左右の端部２５が、受皿本体３の側壁９の上縁に連続するものでも良い。あるいは、誘導傾斜板１７の広がった左右の端部が、受皿本体３の側壁９の縁部に、別体に、取付けられるものでも良い。
【符号の説明】
【００１７】
１…線香受皿、３…受皿本体、５…底面、７…脚、９…側壁、１１…底部、１３…網部、１５…線香、１７…誘導傾斜板、１９…間隙、２１…立上がり部、２３…傾斜部。
【図１】
2013192762.tif 000003
【図２】
2013192762.tif 000004
【図３】
2013192762.tif 000005
【図４】
2013192762.tif 000006
【図５】
2013192762.tif 000007